(57)【特許請求の範囲】
【請求項１】
魚釣りに用いる釣竿であって、
穂先側端部内周面に嵌合雌部を有し竿元側端部に底栓が装着される大径竿体と、
前記大径竿体の穂先側に振出形式で連結される竿体であり、穂先側外周面に形成され前記嵌合雌部と嵌着可能な第１嵌合雄部と竿元側端部外周面に形成され前記嵌合雌部と嵌着可能な第２嵌合雄部とを有し、前記第１嵌合雄部の周面に形成された貫通孔を有する小径竿体と、
前記大径竿体の竿元側端部内周に配置され前記小径竿体の第２嵌合雄部と嵌着可能な嵌合部材と
を備え、
前記貫通孔は、前記小径竿体を前記大径竿体に出し入れする際に、前記小径竿体内を介して前記大径竿体内と外部との間で空気を流通させる出入り口となる、
釣竿。
【請求項２】
魚釣りに用いる釣竿であって、
穂先側端部内周面に嵌合雌部を有し竿元側端部に底栓が装着される大径竿体と、
前記大径竿体の穂先側に振出形式で連結される竿体であり、穂先側外周面に形成され前記嵌合雌部と嵌着可能な第１嵌合雄部と竿元側端部外周面に形成され前記嵌合雌部と嵌着可能な第２嵌合雄部とを有し、前記第１嵌合雄部の穂先側の周面に形成された貫通孔を有する小径竿体と、
前記大径竿体の竿元側端部内周に配置され前記小径竿体の第２嵌合雄部と嵌着可能な嵌合部材と
を備え、
前記貫通孔は、前記小径竿体を前記大径竿体に出し入れする際に、前記小径竿体内を介して前記大径竿体内と外部との間で空気を流通させる出入り口となる、
釣竿。
【発明の詳細な説明】
【０００１】
【発明の属する技術分野】
本発明は、複数の竿体を連結してなる釣竿、特に、元竿とその穂先側に連結される元上竿とを振出形式に連結し、これらの位置関係を調整することで釣竿全体の長さを調整可能な釣竿に関する。
【０００２】
【従来の技術】
従来の振出形式の釣竿は、複数の筒状の竿体が穂先側の竿体から順次竿元側の竿体内に挿入可能になっている。釣りを行う際には各竿体を順次穂先側に引き出して嵌合固定して一本の竿体として用いる。一方、収納時には穂先側の竿体を順次竿元側の竿体内に収納してコンパクトな状態とする。
【０００３】
また、従来の振出形式の釣竿には、元上竿と元竿とにおいてその位置関係を調整し、竿全体の長さを変化させて釣りを行えるように工夫したものがある。このように工夫された釣竿の元竿は、穂先側端部内周面に嵌合雌部を有し、この嵌合雌部が元上竿の竿元側端部及び穂先側の周面においてそれぞれ嵌合するようになっている。そして、元上竿が穂先側に引き出された状態（以下「延伸状態」という）では、元竿の嵌合雌部が元上竿の竿元側端部外周面と嵌合し、元上竿が元竿内に挿入された状態（以下「収納状態」という）では、元竿の嵌合雌部が挿入された元上竿の穂先側の周面と嵌合する。
【０００４】
このようにして、元竿と元上竿とは「延伸状態」「収納状態」のいずれの状態においても互いに嵌合して連結固定可能であり、状況に応じて竿全体の長さを変化させて釣りを行えることになるのである。
【０００５】
【発明が解決しようとする課題】
このような元竿と元上竿との相互関係によって釣竿全体の長さの調節が可能なタイプの釣竿では、相互の嵌合力向上のために元竿の嵌合雌部の内径と元上竿の外径とが精密に合致するように設定されている。このため、元竿がピストンのシリンダのように作用し、元上竿を元竿から引出又は収納する際の空気抵抗が大きくなり円滑な元上竿の元竿への出し入れが阻害される場合もある。
【０００６】
このような元竿と元上竿とのピストン現象は、元竿の竿元側端部に装着されている底栓の隙間からの水やほこりなどの吸い込みを誘発することもあり、また、元上竿の出し入れの際に不快な音も発生する場合もある。
【０００７】
本発明の課題は、元上竿の元竿への出し入れが円滑に為しえ釣竿全体の長さ調製の容易な釣竿を提供することにある。
【０００８】
【課題を解決するための手段】
発明１の釣竿は、魚釣りに用いる釣竿であって、穂先側端部内周面に嵌合雌部を有し竿元側端部に底栓が装着される大径竿体と、大径竿体の穂先側に振出形式で連結される竿体であり、穂先側外周面に形成され嵌合雌部と嵌着可能な第１嵌合雄部及び竿元側端部外周面に形成され嵌合雌部と嵌着可能な第２嵌合雄部を有し、第１嵌合雄部の周面に形成された貫通孔を有する小径竿体と、大径竿体の竿元側端部内周に配置され小径竿体の第２嵌合雄部と嵌着可能な嵌合部材とを備える。そして、貫通孔は、小径竿体を大径竿体に出し入れする際に、小径竿体内を介して大径竿体内と外部との間で空気を流通させる出入り口となる。
【０００９】
この釣竿では、大径竿体と小径竿体とに於いて、小径竿体を大径竿体の穂先側に引き出した状態（延伸状態）と小径竿体を大径竿体内に収納した状態（収納状態）との何れにおいても相互に嵌着させ固定し、釣竿全体の長さを調整できる。具体的には、延伸状態では、小径竿体を大径竿体の穂先側に引き出して大径竿体の嵌合雌部に小径竿体の第２嵌合雄部を嵌着させる。一方、収納状態では、小径竿体を大径竿体の内部に収納し、大径竿体の嵌合雌部に小径竿体の第１嵌合雄部を嵌着し、大径竿体内の嵌合部材を小径竿体の第２嵌合雄部に嵌着させる。
【００１０】
この小径竿体では、第１嵌合雄部と第２嵌合雄部とが形成され、大径竿体の嵌合雌部との合致を図るためにそれらの径が精密に設定されるが故に、大径竿体に対する出し入れの際に、あたかも、大径竿体がピストン、小径竿体がシリンダのように作用して空気の出入りを阻害するおそれがある。そこで、小径竿体の貫通孔が空気通路となって小径竿体内部を介して、ピストンのような大径竿体内に空気の出入りを可能とし、かかる操作を円滑化する。この結果、ピストンのように大径竿体の底栓の隙間から水やほこりを吸い込むこともなく、不快な音も生じない。
【００１１】
また、貫通孔が小径竿体の第１嵌合雄部周面に形成されているため、第１嵌合雄部が嵌合雌部に嵌着する際の固着を防止することにもつながる。
【００１２】
発明２の釣竿は、魚釣りに用いる釣竿であって、穂先側端部内周面に嵌合雌部を有し竿元側端部に底栓が装着される大径竿体と、大径竿体の穂先側に振出形式で連結される竿体であり、穂先側外周面に形成され嵌合雌部と嵌着可能な第１嵌合雄部及び竿元側端部外周面に形成され嵌合雌部と嵌着可能な第２嵌合雄部を有し、第１嵌合雄部の穂先側の周面に形成された貫通孔を有する小径竿体と、大径竿体の竿元側端部内周に配置され小径竿体の第２嵌合雄部と嵌着可能な嵌合部材とを備える。そして、貫通孔は、小径竿体を大径竿体に出し入れする際に、小径竿体内を介して大径竿体内と外部との間で空気を流通させる出入り口となる。
【００１３】
この釣竿では、小径竿体において第１嵌合雄部と第２嵌合雄部とが形成され、大径竿体の嵌合雌部との合致を図るためにそれらの径が精密に設定されるが故に、大径竿体に対する出し入れの際に、あたかも、大径竿体がピストン、小径竿体がシリンダのように作用して空気の出入りを阻害するおそれがある。そこで、小径竿体の貫通孔が空気通路となって小径竿体内部を介して、ピストンのような大径竿体内に空気の出入りを可能とし、かかる操作を円滑化する。この結果、ピストンのように大径竿体の底栓の隙間から水やほこりを吸い込むこともなく、不快な音も生じない。
【００１４】
また、貫通孔が第１嵌合雄部の穂先側の周面に形成されるため、貫通孔は常に大径竿体によって覆われることがなく、釣竿外部から大径竿体内への空気の出入りが常に円滑となる。
【００１５】
【発明の実施の形態】
以下、本発明の実施形態について図面を参照しつつ説明する。
【００１６】
［釣竿の全体の構造］
本発明の一実施形態を採用した釣竿は、図１に示すように、元竿１と、元竿１の穂先側に連結された元上竿２と、元上竿２の穂先側に連結された中竿３と、中竿３の穂先側に連結された穂先竿４とを有している。これら元竿１〜穂先竿４は炭素繊維またはガラス繊維等に合成樹脂を含浸させたプリプレグから形成される先細り筒状部材である。そして、元上竿２〜穂先竿４は穂先側から順次竿元側の竿体の内部に挿入され出し入れ自在になっており、いわゆる振出形式で連結されている。なお、竿体の本数は必要とされる釣竿全体の長さ等によって適宜設定するものであり、このように４本に限定されるものではなく、任意の本数を用いることが可能である。
【００１７】
元竿１は、外周面に形成されリール（図示せず）を脱着自在に装着可能なリールシート５を有し、竿元側端部には尻栓１０が脱着自在に装着されている。また、各竿体の周面には、それぞれスライドガイド６が任意の箇所に固定可能且つ竿体周面上を滑動可動に装着されており、穂先竿４の穂先側端部にはトップガイド７が連結されている。そして、リールからの釣糸は順次スライドガイド６によって案内されトップガイド７へと導かれることになる。
【００１８】
［元竿１と元上竿２の構造］
この中通し竿において、元上竿２と元竿１とは延伸状態および収納状態の何れにおいても相互に固定可能となっている。以下に、元竿１及び元上竿２の構造を詳しく示す。
【００１９】
図２に示すように、元竿１は、やや先細りのテーパが施された筒状体であって、竿元側端部が部分的にラッパ状に大径化している。また、穂先側端部内周面は後述の元上竿２と嵌着する嵌合雌部である。この大径化した竿元側端部内部には、竿元側から雌ねじ部材１１と、雌ねじ部材１１に隣接してその穂先側内部に配置される短筒型の嵌合部材１２とが挿入され固定されている。雌ねじ部材１１は内周面にねじ山が形成された略短筒状の部材であり、尻栓１０がここに脱着自在に装着されている。
【００２０】
嵌合部材１２は合成樹脂等から形成され、略短筒状の本体部と、本体部の内周面において径内方向に突出する複数の突出部とを有する。突出部は本体部の周方向に間隔を隔てて複数形成され、径内方向に突出しつつ軸方向に伸びる突起であって本体部と一体的に形成される。この突出部はその内径が後述の元上竿２の第２嵌合雄部と合致するように調製されており、この中に元上竿２が穂先側から差し込まれた状態で嵌着する。各突出部の穂先側端部には面取りを施してもよい。
【００２１】
元上竿２も、元竿１と同様に、先細りテーパの施された筒状体である。竿元側端部外周面と穂先側の外周面の一部分が他の部分よりやや大径化して形成されており、それぞれ、穂先側の外周面が第１嵌合雄部２ａ、竿元側の外周面が第２嵌合雄部２ｂとなっている。これらの嵌合雄部は、例えば、部分的にプリプレグ素材を余分に積層して形成したり、竿体成形後の表面加工の際に部分的に大径化するように径を設定する等して形成される。そして、これらの両嵌合雄部の外径は、上述した元竿１の嵌合雌部の内径及び嵌合部材１２の内径に合致するように設定される。
【００２２】
また、元上竿２の穂先側の嵌合部分である第１嵌合雄部２ａには、その周面上に周方向に間隔を隔てて複数の貫通孔２０が形成されている。貫通孔２０の大きさなどは任意に設定可能である。なお、このように貫通孔２０を嵌合雄部２ａ上に設けることは、竿体の強度の面からも好ましい。即ち、一般に嵌合雄部２ａには大径化のために別途補助プリプレグ素材などが巻回されている場合が多く、このような補助プリプレグ素材の積層部分に貫通孔２０を設けることで、強度の低下を最大限防止できる。
【００２３】
このような構造を有する中通し竿では、魚釣りを行う際には、各竿体を順次穂先側に引き出し、各竿体を振出形式で相互に嵌着し一本の釣竿として用いる。また、収納時には各竿体の嵌着を解除して順次竿元側の竿体内に穂先側の竿体を収納してコンパクトな状態とする。さらに、元竿１と元上竿２とにおいては、元上竿２を元竿１より引き出した状態（延伸状態）のみではなく、収納している状態（収納状態）でも相互に嵌着させることができ、釣竿全体の長さを調整しつつ魚釣りを行うことも可能である。
【００２４】
即ち、元上竿２を元竿１の穂先側に引き出した延伸状態においては、通常の振出形式の釣竿のように、元上竿２の第２嵌合雄部２ｂが元竿１の穂先側内周面の嵌合雌部と嵌着して固定される（図３参照）。一方、元上竿２を元竿１内に挿入した収納状態においては、元上竿２の第１嵌合雄部２ａが元竿１の嵌合雌部と嵌着すると共に第２嵌合雄部２ｂが嵌合部材１２に挿入され嵌着する（図２参照）。
【００２５】
このような元上竿２の元竿１への出し入れの際に、元上竿２の貫通孔２０が元上竿２内を介して元竿１内部への空気の出入口となり、空気の流通を円滑にして、元竿１の密閉ピストン状態化を防ぐ。このような密閉ピストン化防止は、元上竿２の出し入れの際の不快な音の発生や、元竿１と底栓１０との隙間からの水、ゴミの侵入などの防止にもつながる。また、第１嵌合雄部２ａ上の貫通孔２０は、第１嵌合雄部２ａと嵌合雌部との接触面積を低減し、両者の固着防止にもなる。
【００２６】
また、このような構造の採用によって、従前の尻栓１０に空気穴を設ける必要がなくなり、このような空気穴からの水などの侵入も防止できる。
【００２７】
［他の実施形態］
（ａ）図４に示すように、元上竿２に形成する貫通孔３０は第１嵌合雄部２ａの周面ではなく、その穂先側に形成してもよい。この場合、貫通孔３０は常に元竿１内に収納されることなく外部に露出しており、元竿１内への空気の出入りをさらに円滑なものとし得る。貫通孔３０の形成する位置は特に限定されるものではないが、元竿１への空気の円滑な供給のためにはできるだけ第１嵌合雄部２ａに近い位置が好ましく、例えば、第１嵌合雄部２ａより軸方向において２００ｍｍ程度の範囲内に設けるのが好ましい。なお、図３においては、貫通孔３０を一つのみ形成しているが、複数の貫通孔を形成することも可能である。
（ｂ）上記実施形態においては、元竿１の竿元側端部に別途嵌合部材を配置しているが、このような別パーツを用いる他に、元竿１の竿元側の内周面自体を嵌合部材として用いることも可能である。
（ｃ）上記実施形態のように外通し竿の場合に於いては、穂先竿が中実のソリッド材からなる場合も多い。このような中実の穂先竿を有する場合には、特にピストン化現象が生じやすく、本発明を適用するに好ましい。
（ｄ）なお、本発明は外通し竿のみではなく、中通し竿に適用することも当然荷可能である。
【００２８】
【発明の効果】
本発明の釣竿によれば、大径竿体と小径竿体との出し入れを円滑にすることができる。
【図面の簡単な説明】
【図１】  本発明の一実施形態を採用した中通し竿の全体図。
【図２】  図１の元竿１と元上竿２との収納状態を示した図。
【図３】  図１の元竿１と元上竿２との延伸状態を示した図。
【図４】  本発明の他の実施形態を採用した中通し竿の、元竿１と元上竿２との関係を示した図。
【符号の説明】
１  元竿
２  元上竿
２ａ  第１嵌合雄部
２ｂ  第２嵌合雄部
１０  尻栓
１２  嵌合部材
２０，３０  貫通孔
【図１】
0003892694.tif 000002
【図２】
0003892694.tif 000003
【図３】
0003892694.tif 000004
【図４】
0003892694.tif 000005